(57)【特許請求の範囲】
【請求項１】
パチンコ球を捕捉する羽根が回転軸の外周に沿って、且つ前記羽根がパチンコ球１個を捕捉できる間隔を空けて設けられた第一および第二スプロケットと、前記第一および第二スプロケットが、それぞれの回転軸が同軸となるように配列され、且つ互いのスプロケットに設けられる羽根の位相をずらして、その内部に設けられた空間に組み込まれる箱状のケースとを備え、前記第一および第二のスプロケットのそれぞれの前記間隔に捕捉されたパチンコ球を払い出す遊技機用払い出し装置、を有する遊技機であって、
前記ケースの側壁のうち前記第一スプロケット側の側壁に、前記ケースの内部を前記ケースの外部に露呈させる挿通孔を設けるとともに、前記挿通孔が設けられた側壁に対面する前記第一スプロケットの羽根のそれぞれに、前記第二スプロケットの前記間隔とそれぞれ軸方向で対向する開口を設け、
前記第一および第二スプロケットは、前記開口と前記第２スプロケットの前記間隔とが互いに対向した位置関係を保ちながら回転するとともに、
前記第一および第二スプロケットと前記挿通孔が設けられた側壁とを前記回転軸に直交する平面に投影したときに、前記第一および第二スプロケットを回転させたときの前記開口および前記第２スプロケットの前記間隔の移動軌跡上に前記挿通孔が位置することを特徴とする遊技機。
【請求項２】
前記複数のスプロケットの上流側に設けられ、前記パチンコ球を各スプロケットに向けて送り込む送り込み通路と、
前記スプロケットの下流側に設けられ、前記複数のスプロケットのそれぞれの回転によって捕捉されたパチンコ球を１列に整列させて送り出す送り出し通路と、を備えていることを特徴とする請求項１記載の遊技機。
【請求項３】
前記送り出し通路内で前記パチンコ球が詰まった場合に、前記挿通孔と前記開口とに挿通され、前記挿通孔が設けられた側壁と対面するスプロケット以外のスプロケットの羽根に捕捉されたパチンコ球を前記送り込み通路に退避させるピンと、このピンが把手される把手部とから構成された球詰まり解除部材を備えたことを特徴とする請求項２記載の遊技機。
【請求項４】
前記ケースの側壁であって、且つ前記挿通孔が設けられた側壁に、前記球詰まり解除部材を保持する保持部を設け、前記球詰まり解除部材を前記保持部に保持させたときに、前記把手部によって前記挿通孔が被覆されることを特徴とする請求項３記載の遊技機。
【発明の詳細な説明】
【技術分野】
【０００１】
本発明は、例えば入賞を得た場合に賞球としてのパチンコ球を払い出す払い出し装置を有し、パチンコ店などの遊技場に配設される遊技機に関するものである。
【背景技術】
【０００２】
パチンコ店などの遊技場に配設される遊技機の一つにパチンコ機が挙げられる。このパチンコ機では、遊技球を遊技領域に打ち出し、遊技領域内に設けられた入賞装置に入賞することで、入賞に対する賞球としての遊技球が払い出される。この遊技球の払い出しは、パチンコ機の背面に設けられた払い出し装置が作動することで行われる。
【０００３】
例えば上述した払い出し装置としては、パチンコ機に設けられた貯留部から払い出し装置内に送り込まれる２列の送り込み通路と、これら送り込み通路の下流側端部に設けられ、各送り込み通路を流下する遊技球を交互に送り出す２枚のスプロケットとを備えた構造が知られている。このような構造の払い出し装置としては、例えば２枚のスプロケットの回転軸と、これらスプロケットを同時に回転させるモータの駆動軸とを同軸上に配置した構造からなる払い出し装置が考案されている（特許文献１など）。この他に、截頭円錐形状からなり、その周面に球受け部が所定の間隔を空けて複数設けられた２つのスプロケットと、これらスプロケットに対応して設けられた２つモータを備えた払い出し装置も提案されている（特許文献２など）。
【特許文献１】特開２００１−１１２９９４号公報
【特許文献２】特開２００２−３５５４２０号公報
【発明の開示】
【発明が解決しようとする課題】
【０００４】
しかしながら、例えば、１つのモータを用いて２つのスプロケットを回転させることによりパチンコ球の払い出しを行う払い出し装置の場合、払い出しの際に一方のスプロケットにおいて球噛みや、払い出されるパチンコ球による球詰まりが生じると、他方のスプロケットの回転も停止される、つまり払い出し装置の作動が停止してしまうという欠点がある。また、このような払い出し装置の場合、上述した球噛みや球詰まりが発生した場合には、払い出し装置を取り外して分解する必要があるが、遊技場の店員などは、払い出し装置の内部構成や、払い出し装置内で発生した球詰まりの解消方法を理解していない場合が多く、パチンコ機本体から取り外した払い出し装置を分解するなど、不必要な作業を行ってしまうという問題もある。
【０００５】
一方、２つのスプロケットを異なるモータで個別に回転させる払い出し装置の場合、一方のスプロケットで球噛みが生じたとしても、他方のスプロケットの回転は停止されないため、パチンコ球の払い出しは継続されるという利点はあるが、２つのモータを組み込むため、払い出し装置自体が大きくなるという欠点がある。近年においては、パチンコ機に配設される図柄表示装置の表示画面の大きさが大きくなり、その他の装置を配設するスペースを充分に確保することが難しくなってきていることから、２つのモータを用いた払い出し装置を配置することは難しい。
【０００６】
本発明は、上記課題を解決するためになされたものであり、１つのモータで２つのスプロケットを同時に回転させる払い出し装置を有する遊技機の場合に、パチンコ球の払い出し時に生じる球詰まりや球噛み等の不具合を容易に解消することができることを目的とする。
【課題を解決するための手段】
【０００７】
上記目的を達成するために、本発明の遊技機は、パチンコ球を捕捉する羽根が回転軸の外周に沿って、且つ前記羽根がパチンコ球１個を捕捉できる間隔を空けて設けられた第一および第二スプロケットと、前記第一および第二スプロケットが、それぞれの回転軸が同軸となるように配列され、且つ互いのスプロケットに設けられる羽根の位相をずらして、その内部に設けられた空間に組み込まれる箱状のケースとを備え、前記第一および第二のスプロケットのそれぞれの前記間隔に捕捉されたパチンコ球を払い出す遊技機用払い出し装置、を有する遊技機であって、前記ケースの側壁のうち前記第一スプロケット側の側壁に、前記ケースの内部を前記ケースの外部に露呈させる挿通孔を設けるとともに、前記挿通孔が設けられた側壁に対面する前記第一スプロケットの羽根のそれぞれに、前記第二スプロケットの前記間隔とそれぞれ軸方向で対向する開口を設け、前記第一および第二スプロケットは、前記開口と前記第２スプロケットの前記間隔とが互いに対向した位置関係を保ちながら回転するとともに、前記第一および第二スプロケットと前記挿通孔が設けられた側壁とを前記回転軸に直交する平面に投影したときに、前記第一および第二スプロケットを回転させたときの前記開口および前記第２スプロケットの前記間隔の移動軌跡上に前記挿通孔が位置することを特徴とする。
【０００８】
また、前記複数のスプロケットの上流側に設けられ、前記パチンコ球を各スプロケットに向けて送り込む送り込み通路と、前記スプロケットの下流側に設けられ、前記複数のスプロケットのそれぞれによって捕捉されたパチンコ球を１列に整列させて送り出す送り出し通路と、を備えていることを特徴とする。
【０００９】
また、前記送り出し通路内で前記パチンコ球が詰まった場合に、前記挿通孔と前記開口とに挿通され、前記挿通孔が設けられた側壁と対面するスプロケット以外のスプロケットの羽根に捕捉されたパチンコ球を前記送り込み通路に退避させるピンと、このピンが把手される把手部とから構成された球詰まり解除部材を備えたことを特徴とする。
【００１０】
また、前記ケースの側壁であって、且つ前記挿通孔が設けられた側壁に、前記球詰まり解除部材を保持する保持部を設け、前記球詰まり解除部材を前記保持部に保持させたときに、前記把手部によって前記挿通孔が被覆されることを特徴とする。
【発明の効果】
【００１１】
本発明の遊技機によれば、例えば挿通孔が設けられた側壁に近いスプロケット以外のスプロケットで球噛みや球詰まりが発生した場合には、側壁に設けられた挿通孔から、スプロケットの開口が露呈されることになり、例えば直線状のピンを挿入するだけで球噛みや球詰まりの原因となるパチンコ球を動かすことができるので、これら不具合を容易に解消することができる。
【００１２】
また、前記複数のスプロケットの上流側に設けられ、前記パチンコ球を各スプロケットに向けて送り込む送り込み通路と、前記スプロケットの下流側に設けられ、前記複数のスプロケットのそれぞれによって捕捉されたパチンコ球を１列に整列させて送り出す送り出し通路と、を備えているから、送り出し通路内で球詰まりが発生することで、スプロケットの回転が停止した場合には、スプロケットに捕捉される、或いはスプロケットによって送り出し通路に送り出されるパチンコ球をピンなどによって動かすことで、球詰まりの原因となる複数のパチンコ球の密着力を抑制し、パチンコ球を動かし易くすることができる。つまり、球詰まりを払い出し装置を分解しなくても容易に球詰まりを解消することができる。
【００１３】
また、前記送り出し通路内で前記パチンコ球が詰まった場合に、前記挿通孔と前記開口とに挿通され、前記挿通孔が設けられた側壁と対面するスプロケット以外のスプロケットの羽根に捕捉されたパチンコ球を前記送り込み通路に退避させるピンと、このピンが把手される把手部とから構成された球詰まり解除部材を備えたから、球詰まりを解除する際に、専用の球詰まり解除部材を使用することで、容易に球詰まりを解除できるため、余計な工具を使用しなくても済む。
【００１４】
また、前記ケースの側壁であって、且つ前記挿通孔が設けられた側壁に、前記球詰まり解除部材を保持する保持部を設け、前記球詰まり解除部材を前記保持部に保持させたときに、前記把手部によって前記挿通孔が被覆されるから、例えば、ケースの側壁に設けられた挿通孔からケース内部にゴミ等の異物が入り込むことを防止でき、ゴミ等の異物によるスプロケットの球噛みを発生させずに済む。また、予め払い出し装置とともに遊技機本体に組み込むことで、球詰まり解除部材を一括管理することも可能となる。
【発明を実施するための最良の形態】
【００１５】
図１に、本発明を用いたパチンコ機の外観を示す。このパチンコ機２は、固定枠３に対して回動自在に組み付けられる本体部材４に、上部扉５及び下部扉６からなる２枚の前面扉７が本体部材４に対して回動自在となるように、図示しないヒンジ部を介して組み付けられた構成からなる。
【００１６】
上部扉５の中央には開口５ａが設けられており、この開口５ａは上部扉５の裏側に組み付けられるガラス等の透光性を有する部材により遮蔽されている。上部扉５が閉じているときには、この開口５ａを介して遊技領域１０を視認することが可能となる。
【００１７】
遊技領域１０には、図示しない障害釘や風車の他に、センター役物（構造物）１１が設けられている。このセンター役物１１の中央には、液晶表示装置等からなる図柄表示装置１２が露呈される。また、遊技領域１０には、スタートチャッカー１５、入賞チャッカー１６等の入賞装置の他に、アタッカ１７と呼ばれる可動入賞装置が設けられる。なお、これら入賞装置は周知であるため、ここでは、その詳細を省略する。なお、上述した入賞装置に入賞しないパチンコ球は、アウト口１８によって回収される。
【００１８】
下部扉６には、受容皿２０、操作ハンドル２１が設けられる。受容皿２０には、遊技を開始する際にパチンコ球（遊技球）が供給される他に、遊技領域１０を流下するパチンコ球が、遊技領域１０に設けられた入賞装置のいずれかに入賞したことを受けて払い出される賞球としてのパチンコ球が受容される。操作ハンドル２１は、遊技を行う際に操作され、この操作ハンドル２１の操作を受けて、内部に設けられた打出し用ボリューム（図示省略）の出力値が変化する。これを受けて、発射装置２２によるパチンコ球の打ち出し強さが変化する。なお、符号２３は払出し口であり、この払出し口２３を介して、賞球としてのパチンコ球が払い出される。
【００１９】
図２に示すように、パチンコ機２の背面でその上部には、外部からパチンコ球が供給される貯留タンク３０が設けられている。貯留タンク３０の下方には流下樋３１が設けられている。流下樋３１には貯留タンク３０内のパチンコ球が落下する。流下樋３１は図の右方に向かって下るようにゆるやかに傾斜している。貯留タンク３０から落下してきたパチンコ球は流下樋３１によって２列に整列された状態を保持したまま、流下樋３１の傾斜に沿って流下する。流下樋３１から排出されたパチンコ球は払い出し装置３２に送り込まれる。払い出し装置３２は、流下してきたパチンコ球をその下流側に配置された球通路ユニット３３内に払い出す。球通路ユニット３３に流下したパチンコ球は受容皿２０に流下する。なお、球通路ユニット３３の背面には、払い出し装置３２の駆動制御を行う払い出し制御基板が収納された基板ケース３４が一体に取り付けられている。なお、この基板ケース３４の図２中左方には、パチンコ機２への給電を行う電源装置３５が組み付けられている。
【００２０】
図３〜図５に示すように、払い出し装置３２は、２つのケース部材３８，３９を組み合わせることで、縦長な箱体形状となるケース３７を備えている。このケース３７の内部に、落下通路（送り込み通路）４１，４２や、送り出し通路４３等の通路が設けられる。また、この他に、ケース３７の内部であって、その下部には、送り出し機構４４や該送り出し機構４４を作動させるモータ４５が収納される。このケース３７の上面３７ａには、開口５０，５１が形成されている。これら開口５０，５１は落下通路４１，４２の上端側とそれぞれ連通している。また、このケース３７の側面、つまり、ケース部材３８の側面３８ａには、円弧状の挿通孔５２が設けられている。
【００２１】
落下通路４１，４２は、それぞれ上端部に開口が設けられ、これら開口から下方に向けて蛇行する筒状の通路から構成される。これにより、流下樋３１から払い出し装置３２に供給されるパチンコ球は、１球ずつ２列に整列された状態を保持しながら、落下通路４１，４２の上端に設けられた開口から１球ずつ払い出し装置３２の内部を落下する。
【００２２】
送り出し通路４３は、送り出し機構４４によって送り出されたパチンコ球を受け入れて球通路ユニット３３に案内する略Ｌ字状に形成された筒状の通路である。この送り出し通路４３は、下流端に向けて通路の幅が細くなるように構成されている。つまり、送り出し通路４３の上流側端部の幅はパチンコ球２個よりも若干広い幅から構成され、送り出し通路４３の下流側端部の幅は、パチンコ球１個よりも広く、パチンコ球２個よりも狭い幅から構成されている。つまり、この送り出し通路４３を案内されるパチンコ球は１列に整列されながら球通路ユニット３３に送り出される。このパチンコ球の送り出しの際に、球検知センサ７１（図７参照）によって送り出されるパチンコ球が１球ずつ検知される。
【００２３】
落下通路４１，４２の下流側端部に設けられる開口と、送り出し通路４３の上流側端部に設けられる開口との間には、送り出し機構４４が配設されている。この送り出し機構４４は、スプロケット５５，５６と回転軸５７とから構成される。スプロケット（第一スプロケット）５５は、略円板の外周縁部から、その中心にかけて切り欠かれた切り欠き部６１がスプロケット５５の外周に沿って、且つ１２０°の間隔を空けて３つ設けられている。これら３つの切り欠き部６１が、落下通路４１の下流側端部に、つまり落下通路４１の最下端に位置するパチンコ球１個を受け入れる球受け部（以下、球受け部６１と称する）となる。また、隣り合う球受け部６１との間の略扇形状の羽根部が落下通路４１の最下端に位置するパチンコ球の落下を規制する規制片（羽根）６２となる。これら規制片６２には、それぞれ断面が円形状の開口６３が設けられている。これら開口６３は、その中心が、スプロケット５５の回転軸を中心とした同一円周上（図６中符号８０に示す円）に位置するように設けられている。また、上述したように、ケース部材３８の側面３８ａには挿通孔５２が形成されており、例えばスプロケット５５の回転軸に直交する面にスプロケット５５と挿通孔５２とを投影した場合、スプロケット５５の規制片６２に設けられた開口６３の回転軌跡、つまり、図６中一点鎖線で示す大小２つの円８１，８２の間の領域に前記挿通孔５２が位置するように、これら開口６３が設けられている。
【００２４】
スプロケット（第二スプロケット）５６は、スプロケット５５と同様に、円板の外周縁部から、その中心にかけて形成された球受け部６５が、スプロケット５６の外周に沿って、且つ１２０°の間隔を空けて３つ設けられている。また、隣り合う球受け部６５との間の略扇形状の羽根部が落下通路４２の最下端に位置するパチンコ球の落下を規制する規制片（羽根）６６となる。
【００２５】
回転軸５７は、上述したスプロケット５５，５６が軸方向に所定の間隔を空けて、且つ、それぞれの規制片の位相を例えば６０°ずらして組み付けられる。これにより、例えばスプロケット５５の球受け部６０が落下通路４１の最下端に位置するパチンコ球を受容した場合に、スプロケット５６の規制片６６が落下通路４２の最下端に位置するパチンコ球の落下を防止する。また、スプロケット５６の球受け部６５が落下通路４２の最下端に位置するパチンコ球を受容した場合に、スプロケット５５の規制片６１が落下通路４１の最下端に位置するパチンコ球の落下を防止する。なお、規制片の位相をずらす範囲としては、２枚のスプロケット５５，５６によってパチンコ球を交互に送り出せる範囲であればよい。
【００２６】
モータ４５は、ケース部材３９に設けられたモータ収納部３９ａに収納される。このモータ４５の駆動軸４５ａには回転軸５７が固着されており、パチンコ球の払い出しの際にモータ４５が駆動すると、駆動軸４５ａの回転とともに回転軸５７が回転する。これにより、上述したスプロケット５５，５６が回転する。
【００２７】
次に、スプロケット５５，５６によるパチンコ球の送り出しについて図７〜図９を用いて説明する。なお、図７〜図９については、図の煩雑さを防止するために、便宜上カバー部材３８を外して示してある。例えば、スプロケット５５の規制片６２が落下通路４１の下方に位置している場合には、規制片６２の外周縁部の周面６２ａによって落下通路４１の最下端に位置するパチンコ球７０の落下が規制されている。この状態で、モータ４５が駆動されると、スプロケット５５は落下通路４１の最下端に位置するパチンコ球７０に摺接しながら、図７中Ａ方向に回転する。この回転により、スプロケット５５の球受け部６１が徐々に落下通路４１の下方に位置してくるので、落下通路４１の最下端に位置するパチンコ球７０は徐々に落下し、球受け部６１が落下通路４１の下方に位置したときに（スプロケット５５が６０°回転したときに）球受け部６１に受容される（図８参照）。
【００２８】
落下通路４１の最下端に位置するパチンコ球７０がスプロケット５５の規制片６２の周面に当接されているときには、落下通路４２の最下端に位置するパチンコ球７０がスプロケット５６の球受け部６５に受容されているので、モータ４５の駆動により図７中Ａ方向にスプロケット５６が回転することで、球受け部６５に受容されたパチンコ球７０は反時計方向側の規制片６６の側面によって押し出される。なお、規制片６５の回転軌跡に対して送り出し通路４３の方向は、水平方向にパチンコ球１個分程度の位置がずれた場所に向けて下り傾斜した位置関係となるので、スプロケット５６が回転することでパチンコ球７０が送り出し通路４３に送り出されていく。そして、規制片６６によって送り出されたパチンコ球７０は、送り出し通路４３を１列に整列規制されながら落下する。この落下の際に、球検知センサ７１によってパチンコ球７０が１球ずつ検知され、払い出されたパチンコ球７０が計数される。この検知されたパチンコ球７０は、球通路ユニット３３に送り出される。このスプロケット５６が図７中Ａ方向に６０°回転すると、落下通路４２の下方には規制片６６が移動してくるので、落下通路４２の最下端に位置するパチンコ球７０が規制片６６の外周縁部の周面６６ａに摺接され、その落下が規制される。
【００２９】
モータ４５の駆動はさらに行われる場合には、スプロケット５５，５６がさらに図８中Ａ方向に回転する。スプロケット５５の球受け部６１にはパチンコ球７０が受容されているから、スプロケット５５が回転すると、規制片６２によって球受け部６１に受容されたパチンコ球７０が送り出し通路４３に向けて送り出されていく（図９参照）。このパチンコ球７０の送り出しに合わせて、規制片６２が落下通路４１の下方に移動してくるので、スプロケット５５が６０°回転すると、落下通路４１の最下端に位置するパチンコ球７０は、規制片６２の外周縁部の周面６２ａに当接され、その落下が防止される（図７参照）。一方、スプロケット５６は、球受け部６５が落下通路４２の下方に移動してくるので、落下通路４２の最下端に位置するパチンコ球７０が球受け部６５に受容される。これにより、スプロケット５５，５６が回転すると、落下通路４１，４２の最下端に位置するパチンコ球７０が交互に送り出し通路４３に送り出される。
【００３０】
例えばこの送り出し通路４３はスプロケット５５，５６によって交互に払い出されるパチンコ球７０を１列に整列された状態で送り出すことから、送り出し通路４３の下流側端部に向けて通路の幅が細くなる。このため、モータ４５によるスプロケット５５，５６の回転速度が速いと、スプロケット５５，５６により交互に送り出されるパチンコ球７０の送り出し間隔が短くなる。これにより、送り出されるパチンコ球７０によって送り出し通路４５内で詰まり（所謂、球詰まり）が生じることがある（図１０参照）。
【００３１】
この送り出し通路４３に送り出されたパチンコ球７０によって球詰まりが生じた場合、
スプロケット５５，５６のいずれかから送り出されるパチンコ球７０によって球詰まりの原因となるパチンコ球７０を押圧することで、球詰まりの原因となるパチンコ球同士の押圧力が強くなる。このような場合、球検知センサ７１からの検知信号の出力が行われないことから、エラーとなる。図１１に示すように、このエラーを受けて、遊技場の店員は、所定の保持部に備え付けられた球詰まり解除部材８０に設けられた把手部８１を摘んでピン８２を図１１中Ｂ方向に移動させて、ケース部材３８に設けられた左右に延びるスリット状挿通孔５２に挿通する。なお、図１１では、ピン８２の形状は直線状としているが、これに限定する必要はなく、例えばピンの挿入空間が狭い場合などに対応させるようにクランク状に折れ曲がったピンや湾曲したピンでもよい。また、ピン８２の先端をマイナスドライバーのような形状にしてパチンコ球を持ち上げやすくするようにしてもよい。
【００３２】
例えばスプロケット５６の球受け部６５にパチンコ球７０が受容されている場合には、挿通孔５２に差し込まれたピン８１の先端をスプロケット５５の規制片６２に設けられた開口６３に挿通させる。このとき、開口６３の移動軌跡上にスリット状の挿通孔５２が位置しているから、ピン８２を挿通孔５２に挿入した後、開口６３に向けて差し込み、調整しやすくなる。ピン８２を、開口６３に差し込んだ後スプロケット５６の球受け部６５に受容されたパチンコ球７０を上方に（図１０中Ｃ方向に）押し上げる。これにより、球詰まりの原因となるパチンコ球同士の押圧力が低減されることで、球詰まりが解除される。同様にして、スプロケット５５の球受け部６１にパチンコ球７０が受容されている場合には、挿通孔５２に差し込まれたピン８２の先端がパチンコ球７０に当接されるので、その状態で、パチンコ球７０を上方に押し上げる。これにより、球詰まりの原因となるパチンコ球同士の押圧力が低減されることで、球詰まりが解除される。これにより、払い出し装置３２を本体部材４から取り外さなくても、容易に送り出し通路４３の内部で発生した球詰まりを解消させることができる。
【００３３】
本実施形態では、ケース部材３８の側面３８ａに設けられた挿通孔５２は外部に露呈されているため、挿通孔５２から異物などがケース３７の内部に挿入しやすく、異物による球噛みが生じることがある。このような球噛みを防止する方法として、例えば、球詰まり解消部材８０によって挿通孔５２を遮蔽することも可能である。
【００３４】
例えば、図１２に示すように、球詰まり解消部材８５を、ピン８６と、ピン８６の一端側に設けられた把手部８７とを備えた構成とし、把手部８７の側面に挿通孔５２の断面と同一形状の凸部８７ａを設ける。また、ケース部材３８の側面３８ａであって、挿通孔５２の上部に、ピン８１を保持する２つの保持部８８，８９を設ける。なお、保持部８８，８９としては、例えば湾曲した２つの保持片９０，９１から構成し、これら保持片９０，９１を弾性を有する部材から形成する。例えば球詰まり解消部材８５を使用しない場合には、２カ所の保持部８８，８９にピン８６をそれぞれ係合させる。このとき、例えば保持部８８にピン８６を押し込むと、保持片９０が図１２中Ｆ方向に、保持片９１が図１２中Ｇ方向に弾性変形することで、ピン８６が、保持片９０，９１の間に入り込む。これにより、保持部８８によってピン８６が保持される。同様にして、保持部８９においてもピン８６が保持される。これら保持部８８，８９によるピンの保持が行われるときに、把手部８７に設けられた凸部８７ａが挿通孔５２に挿入される。これにより、挿通孔５２が把手部８７によって遮蔽されるので、ケース３７の内部に異物が入り込むことがない
【００３５】
本実施形態では、スプロケットを、回転軸方向に２列に配置した形態としたが、これに限定する必要はなく、３枚のスプロケットを回転軸方向に配置した形態としてもよい。
【産業上の利用可能性】
【００３６】
上記実施形態では、遊技機としてパチンコ機を例に挙げて説明したが、払い出し装置から払い出された遊技球が球通路から受け皿（受容皿）に流下する遊技機であれば、本発明を適用できる。
【図面の簡単な説明】
【００３７】
【図１】パチンコ機の前面の外観を示す斜視図である。
【図２】本体部材の背面側の構成を示す斜視図である。
【図３】払い出し装置の外観を示す斜視図である。
【図４】払い出し装置の外観を示す斜視図である。
【図５】払い出し機構の構成を示す斜視図である。
【図６】スプロケットと、ケース部材の側壁に設けられた挿通孔を同一平面上に投影したときの位置関係を示す正面図である。
【図７】スプロケットの規制片によって落下通路の最下端に位置するパチンコ球を規制する状態を示す正面図である。
【図８】スプロケットの球受け部に落下通路の最下端に位置するパチンコ球が受容された状態を示す正面図である。
【図９】スプロケットの球受け部に受容されたパチンコ球を送り出し通路に送り出す過程を示す正面図である。
【図１０】送り出し通路の内部で球詰まりが発生した状態を示す正面図である。
【図１１】ピンの挿入方向を示す斜視図である。
【図１２】球詰まり解消部材をケースに保持する場合の実施形態を示す斜視図である。
【符号の説明】
【００３８】
２  パチンコ機
４  本体部材
３２  払い出し装置
３７  ケース
４１，４２  落下通路（送り込み通路）
４３  送り出し通路
４４  送り出し機構
４５  モータ
５２  挿通孔
５５  スプロケット（第一スプロケット）
５６  スプロケット（第二スプロケット）
５７  回転軸
６１、６５  球受け部
６２，６６  規制片（羽根）
６３  開口
８０  球詰まり解消部材
８１  把手部
８２  ピン
８８，８９  保持部
【図１】
0004669802.tif 000002
【図２】
0004669802.tif 000003
【図３】
0004669802.tif 000004
【図４】
0004669802.tif 000005
【図５】
0004669802.tif 000006
【図６】
0004669802.tif 000007
【図７】
0004669802.tif 000008
【図８】
0004669802.tif 000009
【図９】
0004669802.tif 000010
【図１０】
0004669802.tif 000011
【図１１】
0004669802.tif 000012
【図１２】
0004669802.tif 000013